(57)【要約】      （修正有）【課題】串に刺さった食品やスティック状食品、又は食品以外の棒状物体などである棒状内容体を収納し、容器本体を立てたままでも容易に棒状内容体を取り出せるようにした筒状容器の提供。【解決手段】棒状内容体１１と、この棒状内容体１１を収納するための底のある筒状の容器本体１２と、この容器本体１２の開口部を封ずる蓋１３とからなる内容体含有筒状容器であって、棒状内容体１１を容器本体１２に立てて収納した際、棒状内容体１１の上端が、容器本体１２の開口端より上方に位置し、蓋１３は、棒状内容体１１を収納した状態で容器本体１２の開口部を封じることのできる高さの側周壁を有する、内容体含有筒状容器を用いる。【選択図】図１
0003107528.tif 000002
【実用新案登録請求の範囲】
【請求項１】
棒状内容体と、この棒状内容体を収納するための底のある筒状の容器本体と、この容器本体の開口部を封ずる蓋とからなる内容体含有筒状容器であって、
上記棒状内容体を容器本体に立てて収納した際、上記棒状内容体の上端が、上記容器本体の開口端より上方に位置し、
上記蓋は、上記棒状内容体を収納した状態で上記容器本体の開口部を封じることのできる高さの側周壁を有する、内容体含有筒状容器。
【請求項２】
上記蓋と上記容器本体との接合部が、ネジ嵌合されるものである、請求項１に記載の筒状容器。
【請求項３】
上記蓋と上記容器本体との接合部が、一方の開口端近傍の外周に設けた環状の凸部に、もう一方の環状の凹部を嵌めるものである、請求項１に記載の筒状容器。
【考案の詳細な説明】
【技術分野】
【０００１】
この考案は、筒状容器に関する。
【背景技術】
【０００２】
串イカなどの串に刺さった食品や、スティックチーズやソーセージなどの棒状食品などといった、棒状内容体を収納する筒状容器は広く一般に使用されている。
【考案の開示】
【考案が解決しようとする課題】
【０００３】
しかしながら、従来の筒状容器は、図４のように、立てたままの容器本体から棒状内容体を取り出そうとしても、棒状内容体の上端が容器本体の開口端と同じ高さか、又は開口端より下にあるために、ユーザーが棒状内容体を取り出そうとする際には、容器本体の中に指をつっこんだり、容器本体を傾けたりする必要があり、余分な手間を必要としていた。
【０００４】
そこでこの考案は、串に刺さった食品やスティック状食品、又は食品以外の棒状物体などである棒状内容体を収納する筒状容器において、容器本体を立てたままでも容易に棒状内容体を取り出せるようにすることを目的とする。
【課題を解決するための手段】
【０００５】
この考案は、棒状内容体と、この棒状内容体を収納するための底のある筒状の容器本体と、この容器本体の開口部を封ずる蓋とからなる内容体含有筒状容器であって、上記棒状内容体を容器本体に立てて収納した際、上記棒状内容体の上端が、上記容器本体の開口端より上方に位置し、上記蓋は、上記棒状内容体を収納した状態で上記容器本体の開口部を封じることのできる高さの側周壁を有する、内容体含有筒状容器により、上記の課題を解決したのである。
【考案の効果】
【０００６】
この考案にかかる内容体含有筒状容器の蓋を開けると、容器本体の開口端より上に棒状内容体の上端が位置するので、指を曲げたり容器本体を傾けたりする必要なく、手を伸ばして横からつまむだけで、簡単に棒状内容体を取り出すことができる。
【考案を実施するための最良の形態】
【０００７】
以下、この考案について詳細に説明する。
この考案にかかる内容体含有筒状容器は、図１及び図２に記載のような、棒状内容体１１と、この棒状内容体１１を収納するための底のある筒状の容器本体１２と、この容器本体１２の開口部を封ずる蓋１３とからなる内容体含有筒状容器である。なお、図２（ａ）は図１のＡ−Ａ断面図であり、図２（ｂ）はその内容体含有筒状容器の蓋を閉めた際の断面図である。
【０００８】
上記の棒状内容体１１としては、手にとることができる棒状の物体であれば特に限定されるものではないが、例えば、魚の練り物やイカ、タコなどの魚介類を串に刺した串刺し食品、スティックチーズ、スティック状菓子、ソーセージ、ジャーキー、スティック袋詰めシュガー、スティック袋詰め佃煮、スティック袋詰めふりかけ、乾麺、乾燥板状海苔などといった棒状の食品や、ビニールコーティングした針金、インシュロック、色鉛筆、カラーペンなどの棒状物体が挙げられる。これらの中でも特に、一つの筒状容器に、複数本の棒状物体を収納する棒状内容体１１であると、この考案の効果がより好適に発揮される。
【０００９】
この棒状内容体１１と容器本体１２とは、棒状内容体１１を容器本体１２に立てて収納した際、棒状内容体１１の上端１１ａが、容器本体１２の開口端１２ａより上方に位置する関係にある必要がある。このようにすることにより、ユーザーは容器本体１２の中に指を入れたり、容器本体１２を傾けたりすることなく、立てたままである容器本体１２の横からつまむだけで棒状内容体１１を手にとることができる。ここで、棒状内容体１１の上端１１ａと、容器本体１２の開口端１２ａとの高さ方向の距離Ｂは、棒状内容体１１を人が手でつまむのに容易となる長さであると好ましい。具体的には、５ｍｍ以上であると好ましい。一方で、距離Ｂが棒状内容体１１の長さの半分以上となると、蓋１３と容器本体１２の役割が逆転するため、距離Ｂは棒状内容体１１の長さの半分以下となる。
【００１０】
上記の蓋１３は、棒状内容体１１を収納した状態で容器本体１２の開口部を封ずることのできる高さの側周壁を有する必要がある。具体的には、蓋１３は、容器本体１２に嵌めた際に容器本体１２の開口端１２ａと接する箇所よりもさらに奥に、Ｃの高さを有するので、内部にその分の空間を有する。この高さＣを、棒状内容体１１の上端１１ａと、容器本体１２の開口端１２ａとの高さ方向の距離Ｂよりも大きくすることで、棒状内容体１１が開口端１２ａより上に突き出ている状態でも、図１（ｂ）のように容器本体１２の開口部を封じることができる。
【００１１】
なお、封ずるとは、容器本体１２と蓋１３とを嵌合することにより、容器本体１２の開口部を塞ぐことをいう。
【００１２】
蓋１３と容器本体１２との接合部としては、例えば、図１及び図２のようにネジ嵌合されるものが挙げられる。なお、図１及び図２においては、容器本体１２が雄ねじ部１２ｂを有し、蓋１３が雌ねじ部１３ｂを有するが、これとは逆に容器本体１２が雌ねじ部を有し、蓋１３が雄ねじ部を有することによってネジ嵌合されるものでもよい。また、上記の接合部の別の方法として、図３のように、一方（図では容器本体１２）の開口端近傍の外周に環状の凸部１２ｃを設け、そこにもう一方（図では蓋１３）の環状の凹部１３ｃをは嵌めるものが挙げられる。さらに、環状の凹凸部やねじ部を有さずに、お互いの接触による摩擦力で封じるものでもよい。
【図面の簡単な説明】
【００１３】
【図１】この考案にかかる内容体含有筒状容器の斜視図
【図２】この考案にかかる内容体含有筒状容器の(ａ)図１のＡ−Ａ断面図、(ｂ)蓋を閉めた際の断面図
【図３】この考案にかかる別の内容体含有筒状容器の正面図
【図４】従来の内容体含有筒状容器の正面図
【符号の説明】
【００１４】
１１，２１  棒状内容体
１１ａ  上端
１２  容器本体
１２ａ  開口端
１２ｂ  雄ねじ部
１２ｃ  環状の凸部
１３  蓋
１３ｂ  雌ねじ部
１３ｃ  環状の凹部
【図１】
0003107528.tif 000003
【図２】
0003107528.tif 000004
【図３】
0003107528.tif 000005
【図４】
0003107528.tif 000006